(57)【要約】【課題】化学物質、医薬品、ストレス等の環境因子が生体材料に与える影響を精度よく且つ効率よく調べるのに有利な生体情報検出装置を提供する。【解決手段】生体情報検出装置は、生体材料１２を保持する保持部１を設置可能な設置部２と、保持部１に保持されている生体材料１２の形状に関する情報を検出する形状検出手段３と、保持部１に保持されている生体材料１２における発光状況に関する情報を検出する発光状況検出手段４とを具備する。例えば形状検出手段３は、生体材料１２の可視画像を撮像することができる。発光状況検出手段４は、生体材料１２の蛍光画像を撮像することができる。【選択図】図１
2005098808.tif 000002
【特許請求の範囲】
【請求項１】
生体材料を保持する保持部を設置可能な設置部と、
前記保持部に保持されている生体材料の形状に関する情報を検出する形状検出手段と、
前記保持部に保持されている生体材料における発光状況に関する情報を検出する発光状況検出手段とを具備することを特徴とする生体情報検出装置。
【請求項２】
請求項１において、前記形状検出手段は、前記保持部に保持されている生体材料の可視画像を撮像することにより、生体材料の形状に関する情報を検出することを特徴とする生体情報検出装置。
【請求項３】
請求項１または請求項２において、前記形状検出手段は、前記保持部に保持されている生体材料に可視光を当てる照明部と、前記照明部の可視光が当てられた生体材料を撮像する撮像部とを備えていることを特徴とする生体情報検出装置。
【請求項４】
請求項３において、前記形状検出手段及び前記発光状況検出手段のうちの少なくとも一方は、前記保持部に保持されている生体材料の画像を形成可能な撮像部と、前記撮像部と前記保持部との間に配置されたレンズ系とを備えていることを特徴とする生体情報検出装置。
【請求項５】
請求項１〜請求項４のうちのいずれか一項において、前記発光状況検出手段は、前記保持部に保持されている生体材料に励起光を当てて生体材料において発光させる励起光光源と、発光している生体材料を撮像する撮像部とを備えていることを特徴とする生体情報検出装置。
【請求項６】
請求項１または請求項２において、前記形状検出手段は、前記保持部に保持されている生体材料に可視光を当てる照明部と、前記照明部の可視光が当てられた生体材料を撮像する第１撮像部とを備えていると共に、
前記発光状況検出手段は、前記保持部に保持されている生体材料に励起光を当てて生体材料の内部において発光させる励起光光源と、発光している生体材料を撮像する第２撮像部とを備えており、且つ、
前記保持部に保持されている生体材料に励起光を当て、生体材料の内部において発光させた状態で、発光している生体材料を前記発光状況検出手段の第２撮像部で撮像した後に、前記形状検出手段の第１撮像部で生体材料を撮像するように操作を行う制御部が設けられていることを特徴とする生体情報検出装置。
【請求項７】
請求項１〜請求項６のうちのいずれか一項において、前記形状検出手段と前記発光状況検出手段とは間隔を隔てて配置されており、更に、前記形状検出手段と前記発光状況検出手段との間において前記保持部を前記形状検出手段及び前記発光状況検出手段に対して相対的に移動させる保持部移動手段を備えていることを特徴とする生体情報検出装置。
【請求項８】
請求項１〜請求項７のうちのいずれか一項において、前記形状検出手段と前記発光状況検出手段との間に前記保持部が位置するように、前記形状検出手段及び前記発光状況検出手段は互いに対向して配置されていることを特徴とする生体情報検出装置。
【請求項９】
請求項１〜請求項８のうちのいずれか一項において、前記生体材料は生物の生体組織、細胞、卵、ＤＮＡ、抗体のうちの少なくとも１種であることを特徴とする生体情報検出装置。
【請求項１０】
請求項１〜請求項９のうちのいずれか一項において、前記生体材料は蛍光化合物を担持する又は担持可能なものであり、前記蛍光化合物は蛍光タンパク、テキサスレッド、フルオレセンイソチオシアネート（ＦＩＴＣ），フルオレセイン、ローダミン、クマリン、カスケードブルーのうちの少なくとも１種であることを特徴とする生体情報検出装置。
【発明の詳細な説明】
【技術分野】
【０００１】
本発明は、生物の生体組織、細胞、卵、ＤＮＡ、抗体等の生体材料に対して、化学物質、医薬品、ストレス等の環境因子が与える影響を調べることができる生体情報検出装置に関する。
【背景技術】
【０００２】
現在、わが国において日常生活用品に頻用されている化学物質は、約１０万種類、またはそれらの混合物は４００万種類、そのうえ毎年数百万種類の新たな化学物質の使用が許可されている。これらの化学物質の使用が、生態系の破壊や人間の健康に対しても予期せぬ影響を及ぼすことが指摘され始めている。また最近、化学物質がヒトに与える影響を考えるとき、化学物質の影響を受けやすい人（いわゆる交感受性群）の存在がクローズアップされ始めつつある。
【０００３】
そこで、化学物質や医薬品などの安全評価を行うためには、大腸菌、酵母、ヒト培養細胞などの細胞、メダカやゼブラフィッシュ等の魚類の受精卵や初期胚などを用いて化学物質や医薬品等の影響を評価し、生体内における画像情報を簡便・迅速に撮影・解析できる装置の開発が要望されている。このような装置としては、蛍光顕微鏡や走査型プローブ顕微鏡がある。しかしこれらは非常に高価であるので、誰でもが簡便・迅速に操作できるという装置ではない。
【０００４】
また、従来、蛍光ｉｎ  ｓｉｔｕ  ハイブリダイゼーションと蛍光顕微鏡とを使った生体分子（核酸分子及びその複合体）の蛍光画像撮影及び解析技術として、次の非特許文献１〜４に係る報告がある。更に、走査型プローブ顕微鏡検査をベースとした可視化技術として、次の非特許文献５〜１０に係る次の報告がある。更にまた、光学顕微鏡に３次元ステージを組み込むと共に、複数の方向から試料の像を結像し、テレビモニタに表示する技術として特許文献１に係る技術がある。
【非特許文献１】Ｍａｎｕｅｌｉｄｉｓ，Ｌら、１９８２年，Ｊ．Ｃｅｌｌ．Ｂｉｏｌ．９５、６１９
【非特許文献２】Ｌａｗｒｅｎｃｅ，Ｃ．Ａ．ら、１９８８年，Ｃｅｌｌ，５２，５１
【非特許文献３】Ｌｉｃｈｔｅｒ，Ｐ．ら、１９９０年，Ｓｃｉｅｎｃｅ２４７，６４
【非特許文献４】Ｈｅｎｇ，Ｈ．Ｈ．Ｑ．ら、１９９２年、Ｐｒｏｃ．Ｎａｔｌ．Ａｃａｄ．Ｓｃｉ．ＵＳＡ８９，９５０９
【非特許文献５】Ｋａｒｒａｓｃｈ,Ｓ．ら 、１９９３年,Ｂｉｏｐｈｙｓｉｃａｌ,Ｊ．，６５，２４３７
【非特許文献６】Ｈａｎｓｍａ,Ｈ．Ｇ．ら、１９９３年、Ｎｕｃｌｅｌｉｃ  Ａｃｉｄｓ  Ｒｅｓｅａｃｈ  ２１,５０５
【非特許文献７】Ｂｕｓｔａｍａｎｔｅ，Ｃ．ら,１９９２年，Ｂｉｏｃｈｅｍｉｓｔｒｙ  ３１，２２
【非特許文献８】Ｌｙｕｂｃｈｅｎｋｏ，Ｙ，Ｌ．ら、１９９２年，Ｊ．Ｂｉｏｍｏｌ，Ｓｔｒｕｃｔ，ａｎｄ  Ｄｙｎ．，１０，５８９
【非特許文献９】Ａｌｌｉｓｏｎ，Ｄ．Ｐ．ら、１９９２年，Ｐｒｏｃ．Ｎａｔｌ．Ａｃａｄ．Ｓｃｉ．ＵＳＡ８９，１０１２９
【非特許文献１０】Ｚｅｎｈａｕｓｅｒｎ，Ｆ，ら、１９９２年 ，Ｊ．Ｓｔｒｕｃｔ．Ｂｉｏｌ．１０８，６９
【特許文献１】特開平７−３３３５１９号公報
【発明の開示】
【発明が解決しようとする課題】
【０００５】
しかしながら上記した技術によれば、化学物質、医薬品、ストレス等の環境因子が生体材料に与える影響を精度よく且つ効率よく調べるのには限界があった。
【０００６】
本発明は上記した実情に鑑みてなされたものであり、化学物質、医薬品、ストレス等の環境因子が生体材料に与える影響を精度よく且つ効率よく調べるのに有利な生体情報検出装置を提供することを課題とするにある。
【課題を解決するための手段】
【０００７】
様相１に係る生体情報検出装置は、生体材料を保持する保持部を設置可能な設置部と、保持部に保持されている生体材料の形状に関する情報を検出する形状検出手段と、保持部に保持されている生体材料における発光状況に関する情報を検出する発光状況検出手段とを具備することを特徴とするものである。
【０００８】
化学物質、医薬品、ストレス等の環境因子が生体材料に与えられると、生体材料の内部において変化が生じることがある。従って、生体材料の内部における発光状況に関する情報に基づいて、化学物質、医薬品、ストレス等の環境因子が生体材料に与える影響を調べることができる。
【０００９】
しかしながら生体材料のうち発光している部分は一般的には、上記した環境因子による影響を受けた部位であり、局部的であるため、その影響を受けた部位が生体材料のうちどの部位に相当するかは、生体材料における発光状況だけでは、必ずしも明確ではない。
【００１０】
そこで、様相１に係る生体情報検出装置によれば、形状検出手段によって検出された生体材料の形状に関する情報を検出する。そして、形状検出手段によって検出された生体材料の形状に関する情報と、発光状況検出手段によって検出された生体材料における発光状況に関する情報とに基づいて、生体材料における発光している部位が生体材料の形状に対してどの位置に存在するかが把握される。これは、画像処理または作業者の肉眼等で行うことができる。
【００１１】
換言すると、生体材料の形状に対して、生体材料における局部的に発光している部位の位置関係が精度よく把握される。この結果、生体材料における発光している部位が精度よく把握される。故に、化学物質、医薬品、ストレス等の環境因子が生体材料のうちのどの部位に影響を与えるかが精度よく把握される。
【００１２】
本発明によれば、生体材料は、生物を構成する材料、生物から排出された排出物等を含む。生物は動物、植物を含む。動物は乳動物、魚類等を含む。生体材料は生きているものでも、生きていないものでも良い。生体材料としては、生物の生体組織、細胞、卵、ＤＮＡ、抗体のうちの少なくとも１種を例示することができるが、これらに限定されるものではない。生体材料は蛍光化合物を担持する又は担持可能なものとすることができる。蛍光化合物としては蛍光タンパク、テキサスレッド、フルオレセンイソチオシアネート（ＦＩＴＣ），フルオレセイン、ローダミン、クマリン、カスケードブルーのうちの少なくとも１種を例示することができるが、これらに限定されるものではない。
【００１３】
様相２に係る生体情報検出装置によれば、形状検出手段は、保持部に保持されている生体材料の可視画像を撮像することにより、生体材料の形状に関する情報を検出することを特徴とする。このように生体材料の可視画像を撮像すれば、生体材料の形状に関する情報を容易に検出することができる。
【００１４】
様相３に係る生体情報検出装置によれば、形状検出手段は、保持部に保持されている生体材料に可視光を当てる照明部と、照明部の可視光が当てられた生体材料を撮像する撮像部とを備えていることを特徴とする。このように保持部に保持されている生体材料に照明部により可視光を当てつつ、生体材料の可視画像を撮像すれば、可視画像の明確性が向上し、生体材料の形状に関する情報（輪郭等）を容易に検出することができる。可視光としては白色照明光を例示できるが、これに限定されるものではなく、場合によっては有色照明光でも良い。
【００１５】
様相４に係る生体情報検出装置によれば、形状検出手段及び発光状況検出手段のうちの少なくとも一方は、撮像部と保持部との間に配置されたレンズ系とを備えていることを特徴とする。レンズ系の焦点距離が可変であれば、焦点合わせにより、生体材料の可視画像を更に明確に撮像することができるため、生体材料の形状に関する情報（輪郭等）を検出するのに有利となる。
【００１６】
様相５に係る生体情報検出装置によれば、発光状況検出手段は、保持部に保持されている生体材料に励起光を当てて生体材料において発光させる励起光光源と、発光している生体材料を撮像する撮像部とを備えていることを特徴とする。このように励起光光源により生体材料に励起光を当てることにより生体材料の内部において発光させた状態で、生体材料を撮像すれば、発光状況検出手段による撮像の明確性が向上し、生体材料の内部において発光部位を容易に検出することができる。発光は蛍光発光とすることができる。
【００１７】
故に、生体材料は蛍光化合物を担持する又は担持可能なものであり、蛍光化合物は前述したように蛍光タンパク、テキサスレッド、フルオレセンイソチオシアネート（ＦＩＴＣ），フルオレセイン、ローダミン、クマリン、カスケードブルーのうちの少なくとも１種を例示することができる。蛍光化合物は励起されると、蛍光発光し得る化合物である。注射針等を用いたインジェクション操作により、蛍光化合物を生体材料に導入させて担持させることができる。
【００１８】
様相６に係る生体情報検出装置によれば、形状検出手段は、保持部に保持されている生体材料に可視光を当てる照明部と、照明部の可視光が当てられた生体材料を撮像する第１撮像部とを備えていると共に、
発光状況検出手段は、保持部に保持されている生体材料に励起光を当てて生体材料の内部において発光させる励起光光源と、発光している生体材料を撮像する第２撮像部とを備えており、且つ、
保持部に保持されている生体材料に励起光を当て、生体材料の内部において発光させた状態で、発光している生体材料を発光状況検出手段の第２撮像部で撮像した後に、形状検出手段の第１撮像部で生体材料を撮像するように操作を行う制御部が設けられていることを特徴とする。
【００１９】
生体材料が発光したとしても、その発光状況が時間的に変動することがある。また、生体材料が発光したとしても、生体材料が照明光を受光すると劣化することがある。そこで、発光している生体材料を発光状況検出手段の第２撮像部で撮像した後に、形状検出手段の第１撮像部で生体材料を撮像するように操作を行う。この場合、発光している生体材料を形状検出手段の第１撮像部で撮像した後に、形状検出手段の第１撮像部で生体材料を撮像するため、生体材料の発光状況は時間的に変動することに対処しやすい。更に、生体材料が照明光を受光する前に、生体材料の発光状況を撮像するため、生体材料の発光状況が照明光により劣化することを避けるのに有利となり、検出の精度を向上させるのに有利となる。
【００２０】
生体材料に対する形状検出手段に係る焦点距離、生体材料に対する発光状況検出手段に係る焦点距離は、互いに同一とされていることが好ましい。この場合、可視画像及び蛍光画像は同じサイズ、同じ焦点深度の画像となり、可視画像及び蛍光画像を整合させ易い。よって、可視画像及び蛍光画像を重ね合わせたり、可視画像及び蛍光画像を並べて比較することが容易となる。即ち、可視画像の輪郭と蛍光画像の内部とを精度よく重ね合わせたり、並べて比較することができる。故に、蛍光画像のうち蛍光発光している部位が、生体材料のうちどの部位であるかの特定を行い易くなる。
【００２１】
様相７に係る生体情報検出装置によれば、形状検出手段と発光状況検出手段とは間隔を隔てて配置されており、更に、形状検出手段と発光状況検出手段との間において保持部を形状検出手段及び発光状況検出手段に対して相対的に移動させる保持部移動手段を備えていることを特徴とする。この場合、形状検出手段により保持部を形状検出手段と発光状況検出手段との間において相対的に移動させるため、生体材料の形状に関する情報を形状検出手段によって検出することができると共に、生体材料の内部における発光状況に関する情報を発光状況検出手段によって検出することができる。
【００２２】
一般的には、形状検出手段及び発光状況検出手段保持部を固定しておき、形状検出手段及び発光状況検出手段に対して保持部を相対的に移動させる。場合によっては、保持部を固定しておき、形状検出手段及び発光状況検出手段を保持部に対して相対的に移動させることにしても良い。
【００２３】
様相８に係る生体情報検出装置によれば、形状検出手段と発光状況検出手段との間に保持部が位置するように、形状検出手段及び発光状況検出手段は互いに対向して配置されていることを特徴とする。この場合、保持部の移動距離を減少または無くすることができる。形状検出手段による検出と発光状況検出手段による検出とを短時間のうちに行うことができる。更に、形状検出手段及び発光状況検出手段は互いに対向して配置されているため、小型化に有利である。
【００２４】
様相９に係る生体情報検出装置によれば、生体材料は生物の生体組織、細胞、卵、ＤＮＡ、抗体のうちの少なくとも１種であることを特徴とする。化学物質、医薬品、ストレス等の環境因子が、これらの生体組織、細胞、卵、ＤＮＡ、抗体に与える影響を調べることができる。
【００２５】
様相１０に係る生体情報検出装置によれば、生体材料は蛍光化合物を担持する又は担持可能なものであり、蛍光化合物は蛍光タンパク、テキサスレッド、フルオレセンイソチオシアネート（ＦＩＴＣ），フルオレセイン、ローダミン、クマリン、カスケードブルーのうちの少なくとも１種であることを特徴とする。この場合、蛍光化合物により生体材料の内部を効果的に蛍光発光させることができる。このため化学物質、医薬品、ストレス等の環境因子が生体材料の内部に与える影響を、蛍光発光に基づいて調べることができる。
【発明の効果】
【００２６】
本発明によれば、形状検出手段によって検出された生体材料の形状に関する情報と、発光状況検出手段によって検出された生体材料における発光状況に関する情報とに基づいて、生体材料のうち目的とする部位を、生体材料の形状に対して位置づけることができる。このため化学物質、医薬品、ストレス等の環境因子が生体材料の内部に与える影響を調べるのに有利な生体情報検出装置を提供することができる。
【発明を実施するための最良の形態】
【００２７】
（実施形態１）
本発明の実施形態１を図１〜図６を参照して具体的に説明する。本実施形態に係る生体情報検出装置は、魚の透明な卵等の生体材料を用い、化学物質による卵、稚魚等の生体材料への影響を観察することができる装置である。即ち、透明な魚の卵等の生体材料に蛍光タンパクプロモーターとして化学物質を導入し、導入された化学物質によって生体材料がどのような影響を受けるかについて、可視画像で卵の全体像を情報化すると共に、導入した化学物質による蛍光タンパクが発光する蛍光特性の変化を蛍光画像で情報化し、可視画像と蛍光画像との２つの画像情報を重ね合わせたり、並べて比較したりすることにより、化学物質等の経時的影響を計測することを意図している。
【００２８】
本実施形態に係る生体情報検出装置は、図１に示すように、基本的には、生体材料１２を保持する保持部１を脱着可能に設置する設置部２と、設置部２に設置されている保持部１に保持された生体材料１２の形状、殊に、生体材料１２の形状の輪郭を検出できる形状検出手段３と、設置部２に設置されている保持部１に保持された生体材料１２の内部における発光状況に関する情報を検出する発光状況検出手段４とを備えている。
【００２９】
保持部１はウェルとも呼ばれるものであり、図３及び図４に示すように縦横に配置された複数の凹部１０を有する。凹部１０は、生体材料１２を保持可能である。生体材料１２としては、生体組織、細胞、卵、ＤＮＡ、抗体等、具体的には、大腸菌、酵母、ヒト培養細胞などの細胞、メダカやゼブラフィッシュ等の魚類の受精卵や初期胚などを用いることができるが、これらに限定されるものではない。これらに代表される生体材料１２に化学物質、医薬品、ストレス等の環境因子を付与させると、生体材料１２の内部の部位によっては環境因子の影響を受け、生体材料１２が発光する蛍光特性が変化することがある。この場合、生体材料１２の内部における蛍光特性を調べることで生体材料１２への環境因子の影響を把握することができる。なお、保持部１の凹部１０に生体材料１２が動かないように保持しておくことが好ましい。
【００３０】
図１に示すように、設置部２は保持部１を脱着可能に設置するものであり、水平２次元方向及び高さ方向に移動可能とされている。保持部１を設置する設置部２を三次元的にＸ軸方向（第１の方向；水平２次元方向の一方向）、Ｙ軸方向（第２の方向；水平２次元方向の他方向；図１における紙面垂直方向）、Ｚ軸方向（第３の方向；高さ方向）に移動させる保持部移動手段５が設けられている。
【００３１】
保持部移動手段５は、保持部１と共に設置部２をＸ軸方向に移動させるＸ軸ステージ５０（第１のステージ）と、保持部１と共に設置部２をＹ軸方向に移動させるＹ軸ステージ５６（第２のステージ）と、保持部１と共に設置部２をＺ軸方向に移動させるＺ軸ステージ７０（第３のステージ）とを有する。
【００３２】
図１に示すように、Ｘ軸ステージ５０は、第１可動体５１と、第１可動体５１に保持されたＸ軸モータ５２（第１のモータ）と、Ｘ軸モータ５２により回転されＸ軸方向に延設され設置部２の雌螺子部２ａに螺合した状態で保持部１を保持する可動補助要素として機能するＸ軸螺子軸５３とを有する。Ｘ軸螺子軸５３は軸サポート５４により第１可動体５１に回転可能に保持されている。Ｘ軸モータ５２が回転すると、Ｘ軸螺子軸５３がこれの軸心まわりで回転し、設置部２が保持部１と共にＸ軸方向に前進後退する。
【００３３】
Ｙ軸ステージ５６は、第２可動体７２に保持されたＹ軸モータ５７（第２のモータ）と、Ｙ軸モータ５７により回転されＹ軸方向（図１の示す垂直方向）に延設され第１可動体５１の支持部５８の雌螺子部５８ａに螺合した状態で支持部５８を保持する可動補助要素として機能するＹ軸螺子軸５９と、第１可動体５１をＹ軸方向に案内するＹ軸方向に延設された案内軸である案内部６６とを有する。Ｙ軸モータ５７が回転すると、Ｙ軸螺子軸５９がこれの軸心まわりで回転し、第１可動体５１が保持部１及び設置部２と共にＹ軸方向に前進後退する。
【００３４】
図１に示すように、Ｚ軸ステージ７０は、図略のハウジングに設けられた基部６９にブラケット６９ｃを介して保持されたＺ軸モータ７１（第３のモータ）と、Ｚ軸モータ７１により回転されＺ軸方向に延設され第２可動体７２の第２支持部７３の雌螺子部７３ａに螺合した状態で第２支持部７３を保持する可動補助要素として機能するＺ軸螺子軸７４と、Ｚ軸螺子軸７４を回転可能に支持する軸サポート７５とを有する。Ｚ軸モータ７１が回転すると、Ｚ軸螺子軸７４がこれの軸心まわりで回転し、第２可動体７２が第１可動体５１、保持部１、設置部２と共にＺ軸方向（高さ方向）に上昇下降する。このようにして保持部１は三次元方向に移動できる。
【００３５】
図１に示すように、形状検出手段３は、保持部１に保持されている生体材料１２の可視画像を撮像することにより生体材料１２の形状を検出するものであり、殊に、生体材料１２の形状に関する情報（輪郭）を検出するものである。形状検出手段３は、光を形成するための第１光路形成部材として機能する筒形状をなす一方向にのびる第１延長バレル３０と、設置部２上の保持部１に保持されている生体材料１２に可視光（白色光：波長３００〜９００ナノメートル）である白色照明光３６を当てる照明部３１と、照明部３１からの白色照明光３６が当てられた生体材料１２の可視画像を撮像するＣＣＤカメラで形成された第１撮像部３２と、第１撮像部３２と設置部２との間に配置された第１レンズ系３３とを備えている。
【００３６】
第１撮像部３２は、設置部２上の保持部１に保持されている生体材料１２の可視画像を撮像するためのものであり、第１延長バレル３０の基端側（上端側）に設けられている。第１レンズ系３３は第１延長バレル３０に設けられており、相対的に第１撮像部３２側に配置された第１結像レンズ３４と、相対的に保持部１側に配置されるように第１結像レンズ３４に直列に設けられた第１対物レンズ３５とを有する。第１レンズ系３３は、これの焦点距離及び撮像倍率がそれぞれ可変となるようにされている。従って、第１対物レンズ３５と設置部２上の保持部１との距離は調整可能とされている。
【００３７】
照明部３１は、保持部１に保持されている生体材料１２の近傍に位置するように第１延長バレル３０の先端側（下端側）に設けられており、第１対物レンズ３５の光軸の回りを連続的に１周するように設けられている。これにより保持部１の凹部１０に保持されている生体材料１２に白色照明光３６を均一に当てることができ、ひいては保持部１の凹部１０に保持されている生体材料１２の可視画像を第１撮像部３２で良好に撮像することができる。図１に示すように、保持部１に保持されている生体材料１２の可視画像を第１撮像部３２で撮像するときには、Ｚ軸方向において、第１撮像部３２、第１延長バレル３０、第１結像レンズ３４、第１対物レンズ３５、保持部１が直列に配置される。
【００３８】
図１に示すように、発光状況検出手段４は形状検出手段３に対して平行に並設されており、保持部１に保持されている生体材料１２の蛍光画像を撮像することにより、生体材料１２の内部における発光状況（内部状況）を検出するものである。発光状況検出手段４は、光路を形成するための第２光路形成部材として機能する筒形状をなす一方向にのびる第２延長バレル４０と、第２延長バレル４０に対して交差する方向にのびる延設部４１に設けられ保持部１に保持されている生体材料１２に励起光４９を当てる励起光光源４２と、励起光光源４２から投射された励起光４９が当てられて発光している生体材料１２を撮像するＣＣＤカメラで形成された第２撮像部４３と、第２延長バレル４０に設けられた第２レンズ系４４とを備えている。
【００３９】
第２延長バレル４０は、第１延長バレル３０から独立するように、第１延長バレル３０に対して寸法Ｌ離間して第１延長バレル３０に対して平行に設けられている。第２レンズ系４４はこれの焦点距離が可変となるように設けられている。即ち、第２対物レンズ４６と設置部２上の保持部１との距離は可変とされている。
【００４０】
励起光光源４２からの励起光４９の波長は、生体材料１２において蛍光発光させる色に応じて適宜選択することができる。例えば、蛍光発光色を紫、緑黄とするときには、励起光光源４２の励起光４９の波長は４００〜４３５ナノメートル、蛍光発光色を緑青、橙とするときには、励起光光源４２の励起光４９の波長は４８０〜４９０ナノメートル、蛍光発光色を緑、赤紫とするときには、励起光光源４２の励起光４９の波長は５００〜５６０ナノメートル、蛍光発光色を黄、青とするときには、励起光光源４２の励起光４９の波長は５８０〜５９５ナノメートル、蛍光発光色を紫赤とするときには、励起光光源４２の励起光４９の波長は７５０〜８００ナノメートルとすることができる。但し、励起光光源４２の励起光４９の波長はこれらに限定されるものではない。
【００４１】
第２撮像部４３は、保持部１の凹部１０に保持されている生体材料１２の蛍光画像を撮像するためのものであり、第２延長バレル４０の基端側（上端側）に設けられている。第２延長バレル４０内の延設部４１内には、光路形成部材として機能するビームスプリッタ４７が励起光光源４２及び第２対物レンズ４６に対向するように設けられている。更に、ビームスプリッタ４７と励起光光源４２との間には、励起光光源４２からの励起光４９の波長を選択して、選択した波長を有する励起光４９のみを透過させるフィルタ４８が配置されている。第２レンズ系４４は、相対的に第２撮像部４３側に配置された第２結像レンズ４５と、相対的に保持部１側に配置されるように第２結像レンズ４５に直列に設けられた第２対物レンズ４６とを有する。
【００４２】
また図２に示すように、保持部１に保持されている生体材料１２の蛍光画像を第２撮像部で撮像するときには、Ｚ軸方向において、発光状況検出手段４の第２撮像部４３、第２延長バレル４０、第２結像レンズ４５、第２対物レンズ４６、保持部１が直列に配置される。第２レンズ系４４はこれの焦点距離が可変となるようにされている。従って、第２対物レンズ４６と設置部２上の保持部１との距離は調整可能とされている。
【００４３】
第１撮像部３２及び第２撮像部４３は制御部１０１の画像処理部１００に繋がれている。画像処理部１００は、第１撮像部３２の信号に基づいて画像処理により可視画像を作製し、第２撮像部４３の信号に基づいて画像処理により蛍光画像を作製する。
【００４４】
使用の際について説明を加える。この場合、蛍光化合物を生体材料１２の内部にインジェクション操作により導入して担持させておく。蛍光化合物は、蛍光タンパク、テキサスレッド、フルオレセンイソチオシアネート（ＦＩＴＣ），フルオレセイン、ローダミン、クマリン、カスケードブルーのうちの少なくとも１種とすることができる。化学物質、医薬品、ストレス等の環境因子がこの生体材料１２には与えられており、生体材料１２の特定の部位が化学物質、医薬品、ストレス等の環境因子に応じて蛍光発光することがある。
【００４５】
このように蛍光化合物を担持した生体材料１２を保持部１の凹部１０に保持すると共に、この保持部１を設置部２に設置する。このような生体材料１２を保持した保持部１を設置部２に設置した状態において、Ｘ軸ステージ５０、Ｙ軸ステージ５６、Ｚ軸ステージ７０を適宜駆動させて保持部１の位置合わせを行い、生体材料１２に対して可視画像撮像工程及び蛍光画像撮像工程を行う。
【００４６】
この可視画像撮像工程によれば、図１に示すように、保持部１の生体材料１２を形状検出手段３の第１対物レンズ３５の下方に配置させる。そして照明部３１を照明させ、保持部１の凹部１０に保持されている生体材料１２の回りから生体材料１２を白色照明光３６で照らす。このように生体材料１２を照明部３１の白色照明光３６で照らした状態で、生体材料１２の可視画像を形状検出手段３の第１撮像部３２により撮像する。この場合、白色照明光３６は多くの波長の光を有するため、可視画像を明確に得るのに有利である。可視画像の撮像倍率及び焦点は、基本的には、第１レンズ系３３による焦点距離により設定される。
【００４７】
また図２に示す蛍光画像撮像工程によれば、発光状況検出手段４の励起光光源４２からの励起光４９をフィルタ４８に透過させ、ビームスプリッタ４７で保持部１の生体材料１２に向けて所定角度（９０度）反射させ、その励起光４９を保持部１の凹部１０の生体材料１２に当てる。これにより生体材料１２の内部において部分的な蛍光発光が生じる。その状態で、蛍光発光している生体材料１２の蛍光画像を発光状況検出手段４の第２撮像部４３により撮像する。蛍光画像の倍率、焦点は、基本的には、第２レンズ系４４による焦点距離により設定される。
【００４８】
本実施形態によれば、形状検出手段３に係る第１レンズ系３３による焦点距離、発光状況検出手段４に係る第２レンズ系４４による焦点距離は同一とされているまた、形状検出手段３に係る第１レンズ系３３による撮像倍率、発光状況検出手段４に係る第２レンズ系４４による撮像倍率は同一とされている。このため可視画像及び蛍光画像は同じサイズの画像、同じ焦点深度となり、可視画像及び蛍光画像を重ね合わせたり、可視画像及び蛍光画像を並べて比較したりすることが容易となる。従って、可視画像の輪郭と蛍光画像の内部とを精度よく重ね合わせたり、可視画像と蛍光画像とを並べて比較することができる。このように蛍光画像のうち蛍光発光している部位と生体材料１２の全体画像との関係が特定されるため、生体材料１２のうち蛍光発光している部位が、生体材料１２のうちのどの部位であるかを精度良く特定させるのに有利となる。
【００４９】
本実施形態によれば、同一の生体材料１２について、蛍光画像撮像工程を行った後に、可視画像撮像工程を行なうことができる。この場合、保持部１上の同一の生体材料１２について、蛍光画像を第２撮像部４３で撮像する蛍光画像撮像工程を行った後に、保持部移動手段５によって設置部２をＸ軸方向に寸法Ｌ移動させ、移動させた後に、保持部１上の生体材料１２の可視画像を第１撮像部３２で撮像する可視画像撮像工程を行なうことができる。
【００５０】
あるいは、保持部１上の同一の生体材料１２について、可視画像を第１撮像部３２で撮像する可視画像撮像工程を行った後に、保持部移動手段５によって設置部２をＸ軸方向に寸法Ｌ移動させ、移動させた後に、保持部１上の生体材料１２の蛍光画像を第２撮像部４３で撮像する蛍光画像撮像工程を行ってもよい。
【００５１】
本実施形態によれば、保持部１は複数個の凹部１０を有する。このため複数個の凹部１０に保持されている生体材料１２の全部についてまとめて蛍光画像撮像工程を行った後に、その生体材料１２の全部についてまとめて可視画像撮像工程を行ってもよい。あるいは、その生体材料１２の全部についてまとめて可視画像撮像工程を行った後に、その生体材料１２の全部について蛍光画像撮像工程を行ってもよい。
【００５２】
ところで、生体材料１２が蛍光発光しているときであっても、蛍光発光の状況が時間的に低下したり、あるいは、蛍光発光している生体材料１２に白色照明光３６を当てると、生体材料１２の蛍光発光が劣化したりすることがある。このような影響を避けることが好ましい。そこで、保持部１上の同一の生体材料１２について、蛍光画像撮像工程を行った後に可視画像撮像工程を行なうことが好ましい。このように可視画像撮像工程よりも蛍光画像撮像工程を優先させて実行することが好ましい。即ち、蛍光画像撮像工程を行った後に可視画像撮像工程を行なえば、蛍光画像撮像工程における生体材料１２はまだ照明部３１から白色照明光３６を受光していないため、白色照明光３６の受光による蛍光発光の劣化が抑えられ、蛍光画像の撮像を良好に行うことができる利点が得られる。
【００５３】
ところで、蛍光化合物を担持した生体材料１２に化学物質、医薬品、ストレス等の環境因子が与えられると、生体材料１２の内部において蛍光発光の変化が生じることがある。このため、化学物質、医薬品、ストレス等の環境因子が生体材料１２の内部に与える影響を調べることが要請されている。そこで本実施形態によれば、蛍光発光している生体材料１２を発光状況検出手段４の第２撮像部４３によって撮像し、生体材料１２の蛍光画像（生体材料１２の内部における発光状況に関する情報）を得る。このため、蛍光画像に基づいて生体材料１２の内部の状況が把握される。従って、化学物質、医薬品、ストレス等の環境因子が生体材料１２の内部に与える影響を調べることができる。
【００５４】
しかしながら、生体材料１２のうち蛍光発光している内部が生体材料１２のうちのどの部位に相当するかは、生体材料１２の内部における発光状況だけでは、必ずしも明確ではない。そこで本実施形態によれば、形状検出手段３の第１撮像部３２によって生体材料１２の可視画像を撮像する。可視画像により、保持部１に保持されている生体材料１２の形状に関する輪郭を検出することができる。
【００５５】
図５は、形状検出手段３の第１撮像部３２によって撮像された可視画像３２ｘを示す。図６は、発光状況検出手段４の第２撮像部４３によって撮像された蛍光画像４３ｘを示す。
【００５６】
形状検出手段３の第１撮像部３２によって撮像された可視画像３２ｘ（生体材料１２の形状に関する輪郭３２ｍ）と、発光状況検出手段４の第２撮像部４３によって検出された蛍光画像４３ｘ（生体材料１２の内部における発光状況に関する情報）とに基づいて、生体材料１２の内部における発光している部位４３ｍが、生体材料１２の輪郭３２ｍに対してどの位置に存在するかが精度よく特定される。
【００５７】
換言すると、生体材料１２の輪郭３２ｍに対して、生体材料１２の内部における発光している部位４３ｍの位置関係が精度よく特定される。この結果、生体材料１２の内部において発光している部位が特定される。故に、化学物質、医薬品、ストレス等の環境因子が生体材料１２の内部（臓器等）のどの部位に影響を与えるかが精度よく把握される。
【００５８】
この場合、形状検出手段３の第１撮像部３２によって撮像された図５に示す可視画像３２ｘと、発光状況検出手段４の第２撮像部４３によって検出された図６に示す蛍光画像４３ｘとを、画像処理により重ね合わせ、生体材料１２の内部における発光状況に関する情報を精度よく把握することができる。
【００５９】
あるいは、形状検出手段３の第１撮像部３２によって撮像された図５に示す可視画像３２ｘと、発光状況検出手段４の第２撮像部４３によって検出された図６に示す蛍光画像４３ｘとを、画像処理により、接近させた状態で並べて比較することにしても良い。
【００６０】
本実施形態によれば、上記したように励起光光源４２から投射された励起光４９を生体材料１２に当てることにより、生体材料１２の内部において蛍光発光させ、蛍光発光している生体材料１２を第２撮像部４３により撮像することにしている。このため、蛍光画像の撮像の明確性が向上し、生体材料１２の内部において発光部位を容易に検出するのに貢献することができる。
【００６１】
本実施形態によれば、形状検出手段３と発光状況検出手段４とは間隔（寸法Ｌ）を隔てて配置されており、更に、形状検出手段３と発光状況検出手段４との間において保持部１を形状検出手段３及び発光状況検出手段４に対して相対的に移動させる保持部移動手段５が設けられている。このため、生体材料１２を保持する保持部１を形状検出手段３と発光状況検出手段４との間においてＸ軸方向及びＹ軸方向に相対的に移動させることができる。故に、保持部１に保持されている生体材料１２の可視画像を形状検出手段３の第１撮像部３２によって撮像することができると共に、生体材料１２の内部における発光状況を発光状況検出手段４の第２撮像部４３によって撮像することができる。
【００６２】
（実施形態２）
図７は実施形態２を示す。本実施形態は前記した実施形態１と基本的には同様の構成であり、基本的には同様の機能を有する部位には共通の符号を付する。本実施形態によれば、生体材料１２を保持する保持部１は、可視光を透過可能な透明材料（透明樹脂、透明ガラス等）で形成されている。図７に示すように、形状検出手段３と発光状況検出手段４との間に保持部１が位置するように、形状検出手段３及び発光状況検出手段４は、Ｚ軸方向（高さ方向）において互いに対向して配置されている。
【００６３】
図７に示すように、形状検出手段３は保持部１の下側に位置すると共に、発光状況検出手段４は保持部１の上側に位置するようにＺ軸方向において並設されている。従って図７に示すように、Ｚ軸方向（高さ方向）において、同一軸線上において、上から下にかけて、発光状況検出手段４の第２撮像部４３、第２延長バレル４０、第２結像レンズ４５、ビームスプリッタ４７、第２対物レンズ４６、保持部１が直列に配置されており、更に、第１対物レンズ３５、第１結像レンズ３４、第１延長バレル３０、第１撮像部３２が直列に配置されている。図７に示すように、第２対物レンズ４６と第１対物レンズ３５とは、その間に保持部１を位置させるように接近しつつ互いに対向している。
【００６４】
図７に示すように、生体材料１２を保持した保持部１は、設置部２に脱着可能に設置されるものであり、且つ、保持部移動手段５Ｂにより移動可能に形状検出手段３と発光状況検出手段４との間において支持されている。保持部移動手段５Ｂは、Ｘ軸方向に保持部１及び設置部２を移動させ得るようになっている。更に保持部移動手段５Ｂは特に図示はしないものの、Ｙ軸方向、Ｚ軸方向に保持部１を移動させ得るようになっている。
【００６５】
保持部１に保持されている生体材料１２の可視画像を撮像するときには、励起光光源４２をオフにし励起光４９の投射を停止させ、且つ、照明部３１により白色照明光３６を生体材料１２に向けて当てる。この場合、図７から理解できるように、白色照明光３６は、生体材料１２を保持した保持部１の裏面１ｒ側、つまり、生体材料１２を保持した保持部１の下方から生体材料１２に当てる。これにより生体材料１２付近の照度は明るくなり、撮像に適する雰囲気が得られる。このように生体材料１２付近の照度を明るくした状態において、第１撮像部３２により生体材料１２の可視画像を撮像する。
【００６６】
また、生体材料１２の蛍光画像を撮像するときには、照明部３１をオフにして白色照明光３６の投射を停止させた状態において、励起光光源４２をオンにし励起光４９を投射させ、ビームスプリッタ４７で曲げて保持部１の生体材料１２に当てる。即ち、生体材料１２を保持した保持部１の表面１ｓ側から、励起光４９を保持部１上の生体材料１２に向けて当てる。このように生体材料１２に励起光４９が当たると、生体材料１２は蛍光発光する。このように生体材料１２を蛍光発光させた状態において、第２撮像部４３により生体材料１２の蛍光画像を撮像する。上記したように生体材料１２を保持した保持部１の表面１ｓ側から、励起光４９を照射することにしているため、励起光４９は透明な保持部１を透過せずとも良く、従って、保持部１を透過することに起因して励起光４９のエネルギが減衰することを抑制することができ、生体材料１２の蛍光発光に有利である。
【００６７】
即ち本実施形態によれば、保持部１の生体材料１２の可視画像を撮像するときには、白色照明光３６を生体材料１２に照射させる操作を実行するものの、励起光４９を生体材料１２に照射する操作を実行しない。また、保持部１の生体材料１２の蛍光画像を撮像するときには、励起光４９を生体材料１２に照射する操作を実行するものの、白色照明光３６を生体材料１２に照射する操作を実行しない。
【００６８】
本実施形態によれば、図７に示すように、形状検出手段３及び発光状況検出手段４とが基本的には同じ軸線上に沿って配置されている。このため生体材料１２を保持する保持部１をＸ軸方向及びＹ軸方向において長い距離移動させずとも良く、保持部１の移動距離を短縮またはなくすることができる。このため形状検出手段３の第１撮像部３２による可視画像の撮像と、発光状況検出手段４の第２撮像部４３による蛍光画像の撮像とを、短時間のうちに行うことができ、処理速度を速めることができ、生体材料１２の劣化抑制に有利である。更に、形状検出手段３、発光状況検出手段４がＺ軸方向において並設されているため、Ｙ軸方向及びＸ軸方向における小型化に有利である。
【００６９】
なお本実施形態によれば、図７に示すように、形状検出手段３は保持部１の下側に位置し、発光状況検出手段４は保持部１の上側に位置するようにＺ軸方向において並設されているが、これに限らず、形状検出手段３が保持部１の上側に位置し、発光状況検出手段４が保持部１の下側に位置するようにＺ軸方向において並設されていても良い。また本実施形態によれば、図７に示すように、形状検出手段３及び発光状況検出手段４はＺ軸方向（高さ方向）において互いに対向して配置されているが、これに限らず、形状検出手段３及び発光状況検出手段４は、Ｙ軸方向において互いに対向して配置されていることにしても良く、あるいは、Ｘ軸方向において互いに対向して配置されていることにしても良い。
【００７０】
（実施形態３）
図８及び図９は実施形態３を示す。本実施形態は前記した実施形態１と基本的には同様の構成であり、基本的には同様の作用効果を奏する。以下、実施形態１と相違する部分を中心として説明する。本実施形態によれば、撮像部８３は形状検出手段３と発光状況検出手段４とに共通化されており、本実施形態に係る生体情報検出装置において唯一の撮像部とされている。
【００７１】
この生体情報検出装置は、光路を形成するための光路形成部材として機能する筒形状をなす一方向にのびる延長バレル８０と、延長バレル８０の延設部８１に設けられ保持部１に保持されている生体材料１２に励起光４９を当てる励起光光源４２と、励起光光源４２から投射された励起光４９が当てられた生体材料１２を撮像する撮像部としてのＣＣＤカメラで形成された撮像部８３と、延長バレル８０に設けられたレンズ系８４とを備えている。レンズ系８４は結像レンズ４５と対物レンズ４６とで形成されている。レンズ系８４はこれの焦点距離が可変となるように設けられている。即ち、対物レンズ４６と設置部２上の保持部１との距離は可変とされている。
【００７２】
励起光光源４２からの励起光４９の波長は、生体材料１２の蛍光発光の色に応じて適宜選択することができる。励起光光源４２と保持部１の生体材料１２との間には、特定の波長域の光を選択して透過させる選択手段として機能するフィルタ４８、開閉可能な遮光手段として機能するシャッタ８９が設けられている。
【００７３】
本実施形態では、シャッタ８９を閉鎖した状態で励起光光源４２を連続的にオンし、励起光４９を常時投射させておく。そして励起光４９が必要なときにはシャッタ８９を開放することにより、励起光光源４２の励起光４９をビームスプリッタ４７を介して生体材料１２に到達させ生体材料１０を励起させ、生体材料１２が蛍光発光するようにしている。また、励起光光源４２の励起光４９が不要なときには、シャッタ８９を閉鎖することにより、励起光光源４２の励起光４９が生体材料１２に到達しないようにしている。
【００７４】
励起光光源４２のオンオフを短時間に頻繁に行うと、励起光光源４２の耐久性の確保の面で不利である。そこで本実施形態によれば、上記したように励起光光源４２をオンを継続させ、励起光４９が不要なときシャッタ８９を閉鎖し、且つ、励起光４９が必要なときにシャッタ８９を開放することにしている。このようにすれば、励起光光源４２のオンオフを短時間に頻繁に行わずとも良く、励起光光源４２の耐久性を長期にわたり確保するのに有利である。
【００７５】
本実施形態によれば、形状検出手段３の照明部３１が作動して白色照明光３６が生体材料１２に照射された状態で可視画像を撮像するときには、シャッタ８９は閉鎖し、この結果、発光状況検出手段４の励起光光源４２から投射された励起光４９が生体材料１２に当たることを防止している。このため、可視画像の撮像中に励起光４９が生体材料１２に照射されず、可視画像の撮像を良好に行うことができる。
【００７６】
使用形態について、図９に示すフローチャートと共に説明する。本実施形態によれば、蛍光化合物をインジェクション操作により導入して担持させた生体材料１２を保持部１に保持すると共に、その保持部１を設置部２に設置する。そして制御部１０１は、初期設定（ステップＳ１０）の後に、保持部移動手段５を適宜駆動させることにより、保持部１を撮像可能位置にセットする（ステップＳ１２）。更に、励起光光源４２をオンし、白色照明光３６用の照明部３１をオフにし、撮像部８３をオフとし、シャッタ８９を閉じておく。これが待機状態である。
【００７７】
次に、蛍光画像撮像工程（ステップＳ１４）を行なう。この場合にはシャッタ８９を開き、励起光光源４２の励起光４９をフィルタ４８に向けて投射し、フィルタ４８、開放状態のシャッタ８９、ビームスプリッタ４７を経て、保持部１の生体材料１２に励起光を当て、蛍光化合物を担持する生体材料１２を励起させ、生体材料１２を蛍光発光させる。このように生体材料１２を蛍光発光させた状態で、撮像部８３をオンさせて、生体材料１２の蛍光画像を撮像する。蛍光画像を撮像するときには、照明部３１はオフである。
【００７８】
その後、可視画像撮像工程（ステップＳ１６）を行うべく、シャッタ８９を閉鎖し、励起光光源４２から投射された励起光４９が生体材料１２に投射されないようする。更に、照明部３１をオンし、照明部３１の白色照明光３６を保持部１の生体材料１２に当て、このように白色照明光３６が当てられた状態の生体材料１２の可視画像を撮像部８３により撮像する。その後、次の保持部１を移動させ、次の生体材料１２を対物レンズ８６に接近させる（ステップＳ１８）。このようにして蛍光画像撮像工程を実行した後に、可視画像撮像工程を実行する。
【００７９】
本実施形態によれば、可視画像及び蛍光画像の双方の撮像に撮像部８３が共通して用いられるため、図８から理解できるように、同一の生体材料１２について可視画像の撮像と蛍光画像の撮像とを、生体材料１２を移動させることなく、共通の撮像部８３で行うことができる。このため、生体材料１２を保持する保持部１を長い距離移動させずとも良い。このため可視画像の撮像と蛍光画像の撮像とを短時間のうちに迅速に行うことができ、処理速度を速めることができる。更に撮像部８３が可視画像と蛍光画像とを共通して撮像するため、撮像部８３の数を減少させることができ、小型化及びコスト低廉に有利である。
【００８０】
（試験例）
図１０及び図１１は、小さな魚類（ゼブラフィシュ）の卵について撮像した試験例の結果を示す。この試験では、基準時刻から６時間経過した卵、１２時間経過した状態、２４時間経過した状態について可視画像と蛍光画像との撮像をそれぞれ行った。図１０は卵の成長過程における可視画像を模式的に示す。図１１は卵の成長過程における蛍光画像を模式的に示す。可視画像及び蛍光画像の焦点深度は同じである。図１０に示すように、可視画像によれば、卵は当初は円形状の輪郭を示しているものの、６時間、１２時間、２４時間と時間が次第に経過するにつれて、稚魚化するように成長することが明確にわかる。
【００８１】
これに対して図１１に示すように、蛍光画像によれば、生体材料１２において蛍光発光している部位は変化しているものの、可視画像と異なり、卵や成長過程の稚魚において、輪郭は明確ではない。このため蛍光画像だけでは、卵や稚魚において蛍光発光している部位がどの部位に相当するか特定しにくい。しかしながら可視画像と蛍光画像とを重ね合わせたり、可視画像と蛍光画像とを並べて比較すれば、卵、成長過程の稚魚仮定の蛍光発光している部位の位置を特定しやすくなる。
【００８２】
上記のようにして生体材料として透明な魚の卵を利用し、環境中の化学物質による卵、稚魚への影響を観察することができる。即ち、透明な魚の卵に蛍光タンパクプロモーターとして化学物質を導入し、卵内の生体物質が、導入された化学物質によってどのような影響を受けるかについて、可視画像で卵の全体像を情報化すると共に、導入した化学物質による蛍光タンパクが発光する蛍光特性の変化を蛍光画像で情報化し、可視画像と蛍光画像との２つの画像情報を重ね合わせたり、並べて比較したりすることにより、魚類の卵、稚魚への成長過程における化学物質等の経時的変化を計測することができる。
【００８３】
その他、本発明は上記し且つ図面に示した実施形態のみに限定されるものではなく、要旨を逸脱しない範囲内において適宜変更して実施できる。上記した記載から次の技術的思想も把握できる。
［付記項１］生体材料を保持する保持部を設置部に設置した状態で、前記保持部に保持されている生体材料の形状に関する情報を検出する形状検出工程と、前記保持部に保持されている生体材料の内部における発光状況に関する情報を検出する発光状況検出工程とを含むことを特徴とする生体情報検出方法。
［付記項２］付記項１において、前記形状検出工程は、前記保持部に保持されている生体材料の可視画像を撮像することにより、生体材料の形状に関する情報を検出することを特徴とする生体情報検出方法。
［付記項３］付記項１または２において、生体材料に励起光を当て、生体材料の内部において蛍光発光させた状態で、発光している生体材料を撮像する発光状況検出工程を実施した後に、撮像部で生体材料の形状（輪郭を含む）を撮像する形状検出工程を行うことを特徴とする生体情報検出方法。生体材料の蛍光発光の劣化を抑制するのに有利である。
【産業上の利用可能性】
【００８４】
本発明は生物の生体組織、細胞、卵、ＤＮＡ、抗体等の生体材料に関する情報を検出する生体情報検出装置に利用することができる。
【図面の簡単な説明】
【００８５】
【図１】実施形態１に係る生体情報検出装置において形状検出手段で可視画像を撮像している状態の概念を模式的に示す構成図である。
【図２】実施形態１に係る生体情報検出装置において発光状況検出手段で蛍光画像を撮像している状態の概念を模式的に示す構成図である。
【図３】保持部の要部を模式的に示す平面図である。
【図４】保持部の要部を模式的に示す断面図である。
【図５】可視画像を示す構成図である。
【図６】蛍光画像を示す構成図である。
【図７】実施形態２に係る生体情報検出装置の概念を模式的に示す構成図である。
【図８】実施形態３に係る生体情報検出装置の概念を模式的に示す構成図である。
【図９】実施形態３に係る制御部が実行するフローチャートである。
【図１０】魚類（ゼブラフィシュ）の卵について可視画像を撮像した結果を模式的に示す図である。
【図１１】魚類（ゼブラフィシュ）の卵について蛍光画像を撮像した結果を模式的に示す図である。
【符号の説明】
【００８６】
図中、１は保持部、１２は生体材料、２は設置部、３は形状検出手段、３１は照明部、３２は第１撮像部、３３はレンズ系、３４は第１結像レンズ、３５は第１対物レンズ、３６は白色照明光、４は発光状況検出手段、４２は励起光光源、４３は第２撮像部、４４は第２レンズ系、４５は第２結像レンズ、４６は第２対物レンズ、４９は励起光、５は保持部移動手段、５０はＸ軸ステージ、５６はＹ軸ステージ、７０はＺ軸ステージを示す。
【図１】
2005098808.tif 000003
【図２】
2005098808.tif 000004
【図３】
2005098808.tif 000005
【図４】
2005098808.tif 000006
【図５】
2005098808.tif 000007
【図６】
2005098808.tif 000008
【図７】
2005098808.tif 000009
【図８】
2005098808.tif 000010
【図９】
2005098808.tif 000011
【図１０】
2005098808.tif 000012
【図１１】
2005098808.tif 000013